(57)【要約】【課題】ＡＰＣ回路を内蔵しない回路でも、出力電力が安定してＶｃｃ制御を可能とし、回路規模を小さくすることが可能な携帯無線機を提供する。【解決手段】制御部４はＤ／Ａコンバータ５によってＡＧＣアンプ６のゲインを調整し、パワーアンプ７の出力電力を可変出力する。制御部４はＤ／Ａコンバータ３によって、バッテリ１の入力電圧に対するＤ／Ｄコンバータ２の出力電圧を制御する。Ａ／Ｄコンバータ９はＤ／Ｄコンバータ２の出力電圧をモニタし、制御部４へフィードバックする。制御部４はフィードバックされた出力電圧が設定している電圧に対して異なる場合に、設定している出力電圧とフィードバックされた電圧とが同じになるようにＤ／Ａコンバータ３への制御信号に対してオフセットを掛ける。【選択図】　　　図１
2004088520.tif 000002
【特許請求の範囲】
【請求項１】
バッテリから供給される電源がＤＣ／ＤＣコンバータで可変されてパワーアンプに供給される携帯無線機であって、前記ＤＣ／ＤＣコンバータの出力電圧をモニタするモニタ手段と、前記モニタ手段の検出結果に応じて前記Ｄ／Ｄコンバータの出力電圧を制御する制御手段とを有することを特徴とする携帯無線機。
【請求項２】
前記パワーアンプは、前記バッテリからの電源電圧を下限として１Ｖ程度まで可変しても動作可能としたことを特徴とする請求項１記載の携帯無線機。
【請求項３】
前記制御手段は、前記ＤＣ／ＤＣコンバータの出力電圧が所望としている電圧から大きく電圧がばらついている時にそのばらつき量に基づいて前記ＤＣ／ＤＣコンバータの出力電圧を制御することを特徴とする請求項１または請求項２記載の携帯無線機。
【請求項４】
前記ＤＣ／ＤＣコンバータの入力電圧が低くかつ前記パワーアンプの入力電力が高い時に前記ＤＣ／ＤＣコンバータをバイパスして前記パワーアンプに前記バッテリから直接電源を供給するバイパス回路を含むことを特徴とする請求項１から請求項３のいずれか記載の携帯無線機。
【請求項５】
バッテリから供給される電源がＤＣ／ＤＣコンバータで可変されてパワーアンプに供給される携帯無線機であって、前記ＤＣ／ＤＣコンバータの入力電圧が低くかつ前記パワーアンプの入力電力が高い時に前記ＤＣ／ＤＣコンバータをバイパスして前記パワーアンプに前記バッテリから直接電源を供給するバイパス回路を有することを特徴とする携帯無線機。
【請求項６】
バッテリから供給される電源がＤＣ／ＤＣコンバータで可変されてパワーアンプに供給される携帯無線機のパワーアンプＶｃｃ制御方法であって、前記ＤＣ／ＤＣコンバータの出力電圧をモニタするステップと、そのモニタ結果に応じて前記Ｄ／Ｄコンバータの出力電圧を制御するステップとを有することを特徴とするパワーアンプＶｃｃ制御方法。
【請求項７】
前記パワーアンプは、前記バッテリからの電源電圧を下限として１Ｖ程度まで可変しても動作可能としたことを特徴とする請求項６記載のパワーアンプＶｃｃ制御方法。
【請求項８】
前記Ｄ／Ｄコンバータの出力電圧を制御するステップは、前記ＤＣ／ＤＣコンバータの出力電圧が所望としている電圧から大きく電圧がばらついている時にそのばらつき量に基づいて前記ＤＣ／ＤＣコンバータの出力電圧を制御することを特徴とする請求項６または請求項７記載のパワーアンプＶｃｃ制御方法。
【請求項９】
前記ＤＣ／ＤＣコンバータの入力電圧が低くかつ前記パワーアンプの入力電力が高いか否かを判定するステップと、前記ＤＣ／ＤＣコンバータの入力電圧が低くかつ前記パワーアンプの入力電力が高いと判定された時にバイパス回路によって前記ＤＣ／ＤＣコンバータをバイパスさせて前記パワーアンプに前記バッテリから直接電源を供給させるステップとを含むことを特徴とする請求項６から請求項８のいずれか記載のパワーアンプＶｃｃ制御方法。
【請求項１０】
バッテリから供給される電源がＤＣ／ＤＣコンバータで可変されてパワーアンプに供給される携帯無線機のパワーアンプＶｃｃ制御方法であって、前記ＤＣ／ＤＣコンバータの入力電圧が低くかつ前記パワーアンプの入力電力が高いか否かを判定するステップと、前記ＤＣ／ＤＣコンバータの入力電圧が低くかつ前記パワーアンプの入力電力が高いと判定された時にバイパス回路によって前記ＤＣ／ＤＣコンバータをバイパスさせて前記パワーアンプに前記バッテリから直接電源を供給させるステップとを有することを特徴とするパワーアンプＶｃｃ制御方法。
【請求項１１】
バッテリから供給される電源がＤＣ／ＤＣコンバータで可変されてパワーアンプに供給される携帯無線機のパワーアンプＶｃｃ制御方法のプログラムであって、コンピュータに、前記ＤＣ／ＤＣコンバータの出力電圧をモニタする処理と、そのモニタ結果に応じて前記Ｄ／Ｄコンバータの出力電圧を制御する処理とを実行させるためのプログラム。
【請求項１２】
バッテリから供給される電源がＤＣ／ＤＣコンバータで可変されてパワーアンプに供給される携帯無線機のパワーアンプＶｃｃ制御方法のプログラムであって、コンピュータに、前記ＤＣ／ＤＣコンバータの入力電圧が低くかつ前記パワーアンプの入力電力が高いか否かを判定する処理と、前記ＤＣ／ＤＣコンバータの入力電圧が低くかつ前記パワーアンプの入力電力が高いと判定された時にバイパス回路によって前記ＤＣ／ＤＣコンバータをバイパスさせて前記パワーアンプに前記バッテリから直接電源を供給させる処理とを実行させるためのプログラム。
【発明の詳細な説明】
【０００１】
【発明の属する技術分野】
本発明は携帯無線機及びそれに用いるパワーアンプＶｃｃ制御方法並びにそのプログラムに関し、特に携帯無線機におけるパワーアンプＶｃｃ制御方法に関する。
【０００２】
【従来の技術】
従来、この種のＶｃｃ制御方法においては、図３に示すように、Ｄ／Ｄコンバータ２周辺の抵抗値（Ｒ１，Ｒ２，Ｒ３，Ｒ４）と、Ｄ／Ｄコンバータ２のフィードバック電圧（Ｖｆｂ）及び制御電圧（Ｖｃｏｎｔ）とのばらつきによって、パワーアンプ７の電源となるＤ／Ｄコンバータ２の出力電圧Ｖｏｕｔのばらつきが大きくなる。
【０００３】
ここで、Ｄ／Ｄコンバータ２の入力電流をＩｉｎ、Ｄ／Ｄコンバータ２の入力電流をＩｉｎ、Ｄ／Ｄコンバータ２の入力電圧をＶｉｎ、Ｄ／Ｄコンバータの効率をηとすると、
Ｉｉｎ＝（Ｖｏｕｔ／Ｖｉｎ）・（１／η）・Ｉｏｕｔ　・・・（１）
Ｖｏｕｔ＝［（Ｖｆｂ／Ｒ４）−（（Ｖｃｏｎｔ−Ｖｆｂ）／Ｒ３）］・［（Ｒ１・Ｒ２）／（Ｒ１＋Ｒ２）］＋Ｖｆｂ・・・（２）
という式が成り立つ。
【０００４】
例えば、抵抗値Ｒ１，Ｒ２，Ｒ３，Ｒ４、フィードバック電圧Ｖｆｂ、制御電圧Ｖｃｏｎｔがすべて±５％ばらついた時［Ｖｏｕｔ（ｍｉｎ）の場合、Ｒ１，Ｒ２，Ｖｆｂ＝−５％、Ｒ３，Ｒ４，Ｖｃｏｎｔ＝＋５％となり、Ｖｏｕｔ（ｍａｘ）の場合、Ｒ１，Ｒ２，Ｖｆｂ＝＋５％、Ｒ３，Ｒ４，Ｖｃｏｎｔ＝−５％となる］、電源Ｖｏｕｔの電圧によって、多少の変動はあるものの、上記の（２）式を参考に計算すると、プラス側とマイナス側とに各々１５〜２０％前後、出力電圧Ｖｏｕｔが大きくばらつく計算になる。
【０００５】
この場合には出力電圧Ｖｏｕｔのばらつきが大きいため、パワーアンプ７のゲイン特性及び歪み特性に影響を与えることが懸念される。例えば、マイナス側に出力電圧Ｖｏｕｔがばらついた場合、所望しているパワーアンプ７の特性と比較すると、歪み特性の劣化及びゲイン低下が懸念され、プラス側に出力電圧Ｖｏｕｔがばらついた場合、ゲインの増大が懸念される。このため、パワーアンプ７の出力にＡＰＣ（Ａｕｔｏ　Ｐｏｗｅｒ　Ｃｏｎｔｒｏｌ）回路（出力電力を一定に保つ回路）を内蔵しない場合、パワーアンプ７の大きなゲイン変動によって出力電力が安定しない。
【０００６】
また、Ｄ／Ｄコンバータ２の周辺回路のばらつきが大きく、パワーアンプ７の電源供給をバイパス回路（図示せず）に切替えた瞬間のパワーアンプ７に印可される電圧と、Ｄ／Ｄコンバータ２で供給していた切替える直前の電圧との電位差が大きい場合、瞬時的にパワーアンプ７の電源に不連続な電圧を印可することになり、パワーアンプ７の特性劣化及び瞬時的な出力電力の変動が生じることとなり、無線特性の劣化の要因となる。
【０００７】
このため、従来のＶｃｃ制御方法では、Ｖｃｃ制御を行う際、図４に示すようなパワーアンプ７の出力側に検波回路１１を配置し、出力電力が安定するように、検波された電圧をＡ／Ｄコンバータ１２でフィードバックするＡＰＣ回路を内蔵しており、制御信号＃１を用いてＤ／Ａコンバータ５にオフセットを加え、ＡＧＣ（Ａｕｔｏ　Ｇａｉｎ　Ｃｏｎｔｒｏｌ）アンプ６で電力調整を実施し、パワーアンプ７の出力電力を一定に保つようにしている。
【０００８】
従来のＶｃｃ制御方法としては、上記の技術以外に、送信電力の肯定に係わらず電源が常に低電力損失となるように、電力増幅手段に印加される電源電圧を制御するために、増幅時に電力損失が生じる送信電力である場合に電源電圧をＤＣ／ＤＣコンバータで低く変換してから電力増幅手段に印加し、増幅時に電力損失が一定以上生じない送信電力である場合に電源電圧を電力増幅手段に直接印加する技術もある（例えば、特許文献１参照）。
【０００９】
【特許文献１】
特開２００１−３２０２８８号公報
【００１０】
【発明が解決しようとする課題】
上述した従来のＶｃｃ制御方法では、Ｖｃｃ制御を行う際、パワーアンプの出力にＡＰＣ回路を内蔵しない場合、パワーアンプの大きなゲイン変動によって出力電力が安定せず、ＡＰＣ回路を内蔵すると回路規模が大きくなるという問題がある。この問題は特許文献１記載の技術を用いても解決できない。
【００１１】
そこで、本発明の目的は上記の問題点を解消し、ＡＰＣ回路を内蔵しない回路でも、出力電力が安定してＶｃｃ制御をすることができ、回路規模を小さくすることができる携帯無線機及びそれに用いるパワーアンプＶｃｃ制御方法並びにそのプログラムを提供することにある。
【００１２】
【課題を解決するための手段】
本発明による携帯無線機は、バッテリから供給される電源がＤＣ／ＤＣコンバータで可変されてパワーアンプに供給される携帯無線機であって、前記ＤＣ／ＤＣコンバータの出力電圧をモニタするモニタ手段と、前記モニタ手段の検出結果に応じて前記Ｄ／Ｄコンバータの出力電圧を制御する制御手段とを備えている。
【００１３】
本発明による他の携帯無線機は、バッテリから供給される電源がＤＣ／ＤＣコンバータで可変されてパワーアンプに供給される携帯無線機であって、前記ＤＣ／ＤＣコンバータの入力電圧が低くかつ前記パワーアンプの入力電力が高い時に前記ＤＣ／ＤＣコンバータをバイパスして前記パワーアンプに前記バッテリから直接電源を供給するバイパス回路を備えている。
【００１４】
本発明によるパワーアンプＶｃｃ制御方法は、バッテリから供給される電源がＤＣ／ＤＣコンバータで可変されてパワーアンプに供給される携帯無線機のパワーアンプＶｃｃ制御方法であって、前記ＤＣ／ＤＣコンバータの出力電圧をモニタするステップと、そのモニタ結果に応じて前記Ｄ／Ｄコンバータの出力電圧を制御するステップとを備えている。
【００１５】
本発明による他のパワーアンプＶｃｃ制御方法は、バッテリから供給される電源がＤＣ／ＤＣコンバータで可変されてパワーアンプに供給される携帯無線機のパワーアンプＶｃｃ制御方法であって、前記ＤＣ／ＤＣコンバータの入力電圧が低くかつ前記パワーアンプの入力電力が高いか否かを判定するステップと、前記ＤＣ／ＤＣコンバータの入力電圧が低くかつ前記パワーアンプの入力電力が高いと判定された時にバイパス回路によって前記ＤＣ／ＤＣコンバータをバイパスさせて前記パワーアンプに前記バッテリから直接電源を供給させるステップとを備えている。
【００１６】
本発明によるパワーアンプＶｃｃ制御方法のプログラムは、バッテリから供給される電源がＤＣ／ＤＣコンバータで可変されてパワーアンプに供給される携帯無線機のパワーアンプＶｃｃ制御方法のプログラムであって、コンピュータに、前記ＤＣ／ＤＣコンバータの出力電圧をモニタする処理と、そのモニタ結果に応じて前記Ｄ／Ｄコンバータの出力電圧を制御する処理とを実行させている。
【００１７】
本発明による他のパワーアンプＶｃｃ制御方法のプログラムは、バッテリから供給される電源がＤＣ／ＤＣコンバータで可変されてパワーアンプに供給される携帯無線機のパワーアンプＶｃｃ制御方法のプログラムであって、コンピュータに、前記ＤＣ／ＤＣコンバータの入力電圧が低くかつ前記パワーアンプの入力電力が高いか否かを判定する処理と、前記ＤＣ／ＤＣコンバータの入力電圧が低くかつ前記パワーアンプの入力電力が高いと判定された時にバイパス回路によって前記ＤＣ／ＤＣコンバータをバイパスさせて前記パワーアンプに前記バッテリから直接電源を供給させる処理とを実行させている。
【００１８】
すなわち、本発明の携帯無線機（装置全般、携帯電話機を含む）は、内部にパワーアンプを有し、パワーアンプが電源電圧を下限として１Ｖ程度まで可変しても動作可能な特徴を有し、パワーアンプの入力電力に応じて電源電圧を可変するＤ／Ｄ（ＤＣ／ＤＣ）コンバータ及びＤ／Ｄコンバータの出力電圧を制御するＤ／Ａ（ディジタル／アナログ）コンバータを内部に有している。
【００１９】
また、本発明の携帯無線機は、パワーアンプ入力電力が高い時の歪みを軽減する手段として、Ｄ／Ｄコンバータで生じる電圧降下を回避するバイパス回路を内部に有し、バイパス回路がＤ／Ｄコンバータを経由せず、パワーアンプに電源を供給し、歪みを改善している。
【００２０】
本発明の特徴としては、装置内部に出力電力を一定に保つＡＰＣ（Ａｕｔｏ　Ｐｏｗｅｒ　Ｃｏｎｔｒｏｌ）回路を内蔵せず、Ｄ／Ｄコンバータが周辺回路の抵抗及びコイルの直流成分、出力電圧を制御するＤ／Ａコンバータのばらつきによって、Ｄ／Ｄコンバータの出力電圧で大きな電圧ばらつきが生じるのを軽減するような制御を実現することで、パワーアンプに印可する電源電圧のばらつきを軽減し、パワーアンプの特性を最大限に生かせる細かな電源電圧設定を実現することが可能となる。
【００２１】
上記のように、本発明のパワーアンプＶｃｃ制御方法では、ＡＰＣ回路を内蔵しない場合でも、パワーアンプの電源電圧のばらつきを軽減するように制御することで、パワーアンプの出力電力を安定にし、かつ歪み特性の劣化も改善し、パワーアンプの電源供給をバイパス回路に切替えた際の電位差を軽減し、瞬時的な出力電力の変動も改善する。
【００２２】
すなわち、本発明のパワーアンプＶｃｃ制御方法では、パワーアンプの電源となるＤ／Ｄコンバータ出力の電圧をＡ／Ｄ（アナログ／ディジタル）コンバータでモニタし、所望としている電圧から大きく電圧がばらついている場合に、ばらつき量〓Ｖを電圧制御信号（Ｖｃｏｎｔ）にオフセットするように変換して制御することで、パワーアンプに印可される電圧のばらつきを削減することが可能になり、パワーアンプのゲイン特性を一定に保つことが可能になるため、ＡＰＣ回路を内蔵しない回路でも、出力電力が安定してＶｃｃ制御をすることが可能となり、回路規模を小さくすることが可能となる。
【００２３】
また、本発明のパワーアンプＶｃｃ制御方法では、Ｄ／Ｄコンバータの出力電圧を精度良く、細かく管理することが可能となるため、パワーアンプの電源電圧を歪み特性が許容可能な最大限まで低下させ、電流効率を改善するため、Ｄ／Ｄコンバータを使用したＶｃｃ制御によるバッテリから流れる電流の削減効果を最大限に生かせることが可能となる。
【００２４】
例えば、パワーアンプの入力電力が低く、Ｄ／Ｄコンバータの出力電圧Ｖｏｕｔを入力電圧Ｖｉｎに対して１／３にしてもパワーアンプの歪み特性に対する影響が少ない場合、Ｄ／Ｄコンバータの効率ηを８０％程度で想定し、上記の（１）式を参考に計算すると、バッテリからＤ／Ｄコンバータに流れる電流（Ｉｉｎ）がパワーアンプに流れる電流（Ｉｏｕｔ）の４２％程度となる。
【００２５】
さらに、本発明のパワーアンプＶｃｃ制御方法では、Ｄ／Ｄコンバータのばらつきが削減されるため、Ｄ／Ｄコンバータ自体のオン抵抗分だけが、バイパス回路に切替えた際の電位差となり、オン抵抗分として見える電位差が小さいため、パワーアンプの歪み対策として、電源供給をバイパス回路に切替えた際の電位差を軽減し、瞬時的な出力電力の変動を改善することが可能となる。
【００２６】
【発明の実施の形態】
次に、本発明の実施例について図面を参照して説明する。図１は本発明の一実施例によるＶｃｃ制御回路の構成を示すブロック図である。図１において、本発明の一実施例によるＶｃｃ制御回路は、従来のＡＰＣ（Ａｕｔｏ　Ｐｏｗｅｒ　Ｃｏｎｔｒｏｌ）回路を内蔵せず、パワーアンプ７とＡＧＣ（Ａｕｔｏ　Ｇａｉｎ　Ｃｏｎｔｒｏｌ）アンプ６を内部に有し、パワーアンプ７の出力電圧を可変制御する機能を有する制御部４を有している。制御部４は記録媒体１０に格納されたコンピュータで実行可能なプログラムを実行することで各部の制御を行う。
【００２７】
本実施例によるＶｃｃ制御回路では制御部４が制御信号＃１を用いて、Ｄ／Ａ（ディジタル／アナログ）コンバータ５によってＡＧＣアンプ６のゲインを調整し、パワーアンプ７の出力電力を可変出力する。この時、パワーアンプ７の出力電力に対して、歪み特性が劣化しないように、パワーアンプ７の電源電圧を可変制御するために、本実施例によるＶｃｃ制御回路では降圧タイプのＤ／Ｄ（ＤＣ／ＤＣ）コンバータ２を有している。制御部４は制御信号＃２を用いてＤ／Ａコンバータ３によって、バッテリ１の入力電圧に対するＤ／Ｄコンバータ２の出力電圧を制御する。
【００２８】
この場合、バッテリ１の入力電圧に対して、降圧タイプのＤ／Ｄコンバータ２の出力電圧はバッテリ１の入力電圧以下で可変することで、上記の（１）式に示すように、Ｄ／Ｄコンバータ２の入力電流Ｉｉｎ及び出力電流Ｉｏｕｔの関係が成立し、Ｄ／Ｄコンバータ２の効率ηが高く、出力電圧Ｖｏｕｔが低い程、バッテリ１から流れ出る電流（入力電流Ｉｉｎ）が低減され、バッテリ１の省エネルギ化が図れる。
【００２９】
また、図３に示すように、Ｄ／Ｄコンバータ２周辺の回路構成において、出力電圧Ｖｏｕｔがフィードバック電圧Ｖｆｂによって可変するようなＤ／Ｄコンバータ２の回路を構成している場合には、抵抗Ｒ１，Ｒ２，Ｒ３，Ｒ４のばらつき及びＤ／Ｄコンバータ２の個体ばらつきによるフィードバック電圧Ｖｆｂのばらつきと、出力電圧Ｖｏｕｔを制御するＤ／Ａコンバータ３の出力電圧（制御電圧Ｖｃｏｎｔ）のばらつきによってＤ／Ｄコンバータ２の出力電圧Ｖｏｕｔのばらつきが生じる。
【００３０】
本実施例によるＶｃｃ制御回路ではこのＤ／Ｄコンバータ２の出力電圧Ｖｏｕｔのばらつきを改善するために、Ｄ／Ｄコンバータ２の出力電圧ＶｏｕｔのばらつきをモニタするＡ／Ｄ（アナログ／ディジタル）コンバータ９を有している。Ａ／Ｄコンバータ９はＤ／Ｄコンバータ２の出力電圧をモニタし、制御部４へフィードバックする。この時、制御部４はフィードバックされた出力電圧が、制御部４が設定している電圧に対して異なる場合に、設定している出力電圧とフィードバックされた電圧とが同じになるように制御信号＃２に対してオフセットを掛ける機能を有する。
【００３１】
これらによって、ばらつきが削減された所望の電源電圧が常時、パワーアンプ７に印可され、電圧ばらつきによるパワーアンプ７のゲイン特性のばらつきを改善することが可能となり、パワーアンプ７の出力電力の安定化を図ることができる。
【００３２】
また、本実施例によるＶｃｃ制御回路ではパワーアンプ７の出力電力が高く、歪み特性が劣化する改善策として、Ｄ／Ｄコンバータ２のオン抵抗による電圧降下を改善し、パワーアンプ７の電源電圧を改善するバイパス回路を有している。このバイパス回路はバッテリ１からバイパスＳＷ（スイッチ）８によって、バッテリ電圧を直接パワーアンプ７に印可する回路構成をとっている。
【００３３】
このバイパス回路はパワーアンプ７の歪み特性が劣化する条件、入力電力が高く、電源電圧となるバッテリ電圧が低い時にのみ動作する回路であり、回路の切替えは制御部４において制御信号＃３を用いて実施される。
【００３４】
Ｄ／Ｄコンバータ２の出力電圧のばらつきが大きいと、バイパス回路に切替えた時との電位差が大きくなり、切替え時に起こる電圧変動によって、パワーアンプ７の特性劣化（特に、ゲイン特性変動）を引き起こす原因となる。本実施例ではＤ／Ｄコンバータ２の出力電圧のばらつきを削減するため、バイパス回路に切替えた時の電圧変動が、「Ｄ／Ｄコンバータ２のオン抵抗×Ｄ／Ｄコンバータ２に流れる電流」であり、この時に生じる電圧降下はＤ／Ｄコンバータ２のオン抵抗が低いものであれば、電圧変動が改善され、パワーアンプ７のゲイン特性の劣化を改善することができる。
【００３５】
図２は本発明の一実施例によるＶｃｃ制御回路のＶｃｃ制御動作を示すフローチャートである。これら図１及び図２を参照して本発明の一実施例によるＶｃｃ制御回路のＶｃｃ制御動作について説明する。尚、図２に示すＶｃｃ制御は制御部４が記録媒体１０のプログラム（コンピュータによって実行可能なプログラム）を実行することで実現することも可能である。
【００３６】
本実施例によるＶｃｃ制御回路では送信開始すると同時に、Ｖｃｃ制御を開始し　（図２ステップＳ１）、制御部４からパワーアンプ７の入力電力となるＡＧＣアンプ６の出力電力の初期設定値を設定し（図２ステップＳ２）、一定のゲイン特性を持つパワーアンプ７の出力電力を設定する。
【００３７】
この時、本実施例によるＶｃｃ制御回路ではパワーアンプ７が歪み特性が劣化しないように、予めＡＧＣアンプ６の出力電力に合わせてパワーアンプ７の電源電圧を下げるように、Ｄ／Ｄコンバータ２の出力電圧を制御部４からＤ／Ａコンバータ３を介して制御するように初期値を設定し（図２ステップＳ３）、Ｄ／Ｄコンバータ２の電源を投入し（図２ステップＳ４）、パワーアンプ７の電源を投入する。この場合、Ｄ／Ｄコンバータ２は降圧タイプのため、出力電圧がバッテリ電圧より高くなることはない。
【００３８】
次に、本実施例によるＶｃｃ制御回路ではＡＧＣアンプ６の出力電力及びバッテリ電圧をモニタする（図２ステップＳ５）。この時、本実施例によるＶｃｃ制御回路はＡＧＣアンプ６の出力電圧が高く、バッテリ電圧が低い場合、Ｄ／Ｄコンバータ２の出力電圧が低くなり、パワーアンプ７の歪み特性を劣化させるため、制御部４からバイパスＳＷ８をＯＮしてＤ／Ｄコンバータ２をバイパスするようにし（図２ステップＳ６）、Ｄ／Ｄコンバータ２の電圧降下分を改善して、パワーアンプ７の歪み特性を改善する。
【００３９】
一方、本実施例によるＶｃｃ制御回路はＡＧＣアンプ６の出力電圧が高く、バッテリ電圧が低い場合以外の時に、Ｄ／Ｄコンバータ２でパワーアンプ７の電源制御を実施することでバッテリ１から流れる電流を軽減し、再度ＡＧＣアンプ６の出力電力の設定がある場合（図２ステップＳ７）、出力電力に見合ったＤ／Ｄコンバータ２の出力電圧設定を実施する（図２ステップＳ８）。
【００４０】
本実施例によるＶｃｃ制御回路は上記の設定において、送信状態であるかを検出し（図２ステップＳ９）、送信状態であれば、Ｄ／Ｄコンバータ２の出力電圧を確認し、Ｄ／Ｄコンバータ２の周辺回路のばらつきによる電圧ばらつきをＡ／Ｄコンバータ９で検出し、ばらつきが大きく設定値と異なっている時（図２ステップＳ１０）、ばらつきを軽減する方向にＤ／Ｄコンバータ２の出力電圧の再設定を実施する（図２ステップＳ１１）。本実施例によるＶｃｃ制御回路はばらつきがない場合、あるいは出力電圧のばらつきが軽減された場合、再度、ＡＧＣアンプ６の出力電力及びバッテリ電圧の確認を実施し（図２ステップＳ５）、上述したＶｃｃ制御を繰返す。
【００４１】
また、本実施例によるＶｃｃ制御回路は送信状態の確認において（図２ステップＳ９）、送信状態が終了していれば、上述したＶｃｃ制御を終了する（図２ステップＳ１２）。
【００４２】
このように、本実施例では、パワーアンプ７の電源となるＤ／Ｄコンバータ２の出力電圧をＡ／Ｄコンバータ９でモニタし、所望としている電圧から大きく電圧がばらついている場合に、ばらつき量〓Ｖを電圧制御信号（Ｖｃｏｎｔ）にオフセットするように変換して制御することで、パワーアンプ７に印可される電圧のばらつきを削減することができ、パワーアンプ７のゲイン特性を一定に保つことができる。よって、本実施例では、ＡＰＣ回路を内蔵しない回路でも、出力電力を安定させてＶｃｃ制御をすることができ、回路規模を小さくすることができる。
【００４３】
また、本実施例では、Ｄ／Ｄコンバータ２の出力電圧を精度良く、細かく管理することができるため、パワーアンプ７の電源電圧を、歪み特性が許容可能な最大限まで低下させて、電流効率を改善しているため、Ｄ／Ｄコンバータ２を使用したＶｃｃ制御によってバッテリ１から流れる電流の削減効果を最大限に生かすことができる。
【００４４】
例えば、パワーアンプ７の入力電力が低く、Ｄ／Ｄコンバータ２の出力電圧Ｖｏｕｔを入力電圧Ｖｉｎに対して１／３にしても、パワーアンプ７の歪み特性に対する影響が少ない場合、Ｄ／Ｄコンバータ２の効率ηを８０％程度で想定し、上記の（１）式を参考に計算すると、バッテリ１からＤ／Ｄコンバータ２に流れる入力電流Ｉｉｎはパワーアンプ７に流れる出力電流Ｉｏｕｔの４２％程度である。
【００４５】
さらに、本実施例では、Ｄ／Ｄコンバータ２のばらつきが削減されるため、Ｄ／Ｄコンバータ２自体のオン抵抗分だけが、バイパス回路に切替えた際の電位差となり、オン抵抗分として見える電位差が小さいため、パワーアンプ７の歪み対策として、電源供給をバイパス回路に切替えた際の電位差を軽減し、瞬時的な出力電力の変動を改善することができる。
【００４６】
【発明の効果】
以上説明したように本発明は、パワーアンプの電源となるＤＣ／ＤＣコンバータの出力電圧をＡ／Ｄコンバータでモニタし、所望としている電圧から大きく電圧がばらついている場合に、ばらつき量をＤＣ／ＤＣコンバータへの電圧制御信号にオフセットするように変換して制御することによって、ＡＰＣ回路を内蔵しない回路でも、出力電力が安定してＶｃｃ制御をすることができ、回路規模を小さくすることができるという効果が得られる。
【図面の簡単な説明】
【図１】本発明の一実施例によるＶｃｃ制御回路の構成を示すブロック図である。
【図２】本発明の一実施例によるＶｃｃ制御回路のＶｃｃ制御動作を示すフローチャートである。
【図３】Ｄ／Ｄコンバータ２の周辺回路の構成例を示すブロック図である。
【図４】従来のＶｃｃ制御回路の構成を示すブロック図である。
【符号の説明】
１　バッテリ
２　Ｄ／Ｄコンバータ
３，５　Ｄ／Ａコンバータ
４　制御部
６　ＡＧＣアンプ
７　パワーアンプ
８　バイパスＳＷ
９　Ａ／Ｄコンバータ
１０　記録媒体
【図１】
2004088520.tif 000003
【図２】
2004088520.tif 000004
【図３】
2004088520.tif 000005
【図４】
2004088520.tif 000006